(57)【要約】【課題】二段降下式防火シャッター装置の防災盤と危害防止用連動中継器との間に設けられた二段降下制御盤が通電していない場合でも確実に防災信号を危害防止用連動中継器へ送信できるようにする。【解決手段】二段降下制御盤１８ａは、煙感知防災信号ＢＳＨを入力した場合は防火シャッターカーテン４を半閉位置まで降下させるように自動閉鎖装置３を制御し、熱感知防災信号ＢＳＦ又は閉鎖信号を入力した場合は防火シャッターカーテン４を全閉位置まで降下させるように自動閉鎖装置３を制御する。この発明に係る二段降下制御盤１８ａは、通電状態にないときに防災盤１５ａから煙感知防災信号ＢＳＨ又は熱感知防災信号ＢＳＦが入力した場合、煙感知防災信号ＢＳＨ又は熱感知防災信号ＢＳＦを自動閉鎖装置３に直接出力して防火シャッターカーテン４を自重で全閉位置まで降下させる。【選択図】  図４
2018044359.tif 000002
【特許請求の範囲】
【請求項１】
開口部の周縁部に設けられた開閉体手段と、
人為的操作に応じて閉鎖信号を出力する閉鎖指示手段と、
煙感知手段及び熱感知手段から出力される感知信号に対応した煙感知防災信号及び熱感知防災信号を出力する防災盤手段と、
前記閉鎖信号、前記煙感知防災信号又は前記熱感知防災信号の入力に応じて前記開閉体手段を自重で降下させて前記開口部を閉鎖する自動閉鎖手段と、
前記煙感知防災信号を入力した場合は前記開閉体手段を半閉位置まで降下させるように前記自動閉鎖手段を制御し、前記熱感知防災信号又は前記閉鎖信号を入力した場合は前記開閉体手段を全閉位置まで降下させるように前記自動閉鎖手段を制御する二段降下制御手段とを備えた開閉体装置であって、
前記二段降下制御手段は、通電状態にないときに前記防災盤手段から前記煙感知防災信号又は熱感知防災信号を入力した場合、前記煙感知防災信号又は熱感知防災信号を前記自動閉鎖手段側に直接出力して前記開閉体手段を自重で全閉位置まで降下させるように制御することを特徴とする開閉体装置。
【請求項２】
請求項１に記載された開閉体装置において、
前記開閉体手段の動作経路上で障害物を感知した場合に障害物感知信号を出力する障害物感知手段と、
前記障害物感知信号の入力に応じて閉動作中の前記開閉体手段に回避動作を行わせる障害物制御手段を備えたことを特徴とする開閉体装置。
【請求項３】
火災発生時に防災盤手段から出力される煙感知防災信号を入力した場合は前記開閉体手段が半閉位置まで降下するように自動閉鎖手段を制御し、前記熱感知防災信号を入力した場合は前記開閉体手段が全閉位置まで降下するように前記自動閉鎖手段を制御する二段降下制御手段を備えた開閉制御方法であって、
前記二段降下制御手段が通電状態にないときに、前記防災盤手段から前記煙感知防災信号又は熱感知防災信号を入力した場合、前記煙感知防災信号又は熱感知防災信号を前記自動閉鎖手段側に直接出力して前記開閉体手段を自重で全閉位置まで降下させるように制御することを特徴とする開閉制御方法。
【請求項４】
請求項３に記載された開閉制御方法において、
前記開閉体手段の動作経路上で障害物を感知した場合に障害物感知手段から出力された障害物感知信号の入力に応じて閉動作中の前記開閉体手段に回避動作を行わせることを特徴とする開閉制御方法。
【発明の詳細な説明】
【技術分野】
【０００１】
本発明は、火災などの発生時にシート状、スラット状又はパネル状のカーテンなどの開閉体を用いて建物内部の通路やホール空間などを自動的に閉鎖する開閉体装置及び開閉制御方法に係り、特に開閉体を二段階で降下させる開閉体装置及び開閉制御方法に関する。
【背景技術】
【０００２】
一般に、床面積の大きいビル等の構築・構造物内部の通路やホール空間などには、火災発生時の延焼や煙の拡散を防止するために火災発生と同時に自動的に閉じるシート状、スラット状又はパネル状の防火カーテンなどの遮蔽部材を用いて、柱、壁、床などと共に３次元的に囲まれた空間、すなわち防火区画や防煙機能を形成するように動作する防火シャッター装置が備え付けられている。このようなシャッター装置には、火災以外の災害発生時や閉店時などに防火・防煙・防水・防風・防犯などのために開口部を仕切るために繰り出されるものもある。
【０００３】
図１は、このような防火区画を形成する従来の防火シャッター装置の概略構成を示す図である。防火シャッター装置１０等の開閉体装置は、火災時に発生する煙や熱を感知する防災盤１５（感知器の接続された連動制御器など）から防災信号ＢＳ（例えば直流２４Ｖ信号や無電圧ａ接点ＯＮ信号）が出力されることを受けて、開閉機１に連結されたブレーキ２を解放させる自動閉鎖装置３を有している。なお、信号の電圧値は２４Ｖでない場合もあり、適宜その電圧値は決められている。
【０００４】
開閉機１は、シャッターカーテン４を駆動するための駆動モータである。危害防止用連動中継器５は、防災信号ＢＳの入力があった場合、自動閉鎖装置３に直流２４Ｖ信号を出力するものである。危害防止用連動中継器５は、通常は、商用電源２６を使用して出力するが、停電時などには内蔵されている予備電源（蓄電池などのバッテリー）からの電力によって自動閉鎖装置等へ直流２４Ｖ信号を出力する。自動閉鎖装置３は、危害防止用連動中継器５を介して供給される商用電源２６又は危害防止用連動中継器５に内蔵される予備電源（蓄電池）からの電力（直流２４Ｖ信号）に応じて動作する。
【０００５】
自動閉鎖装置３は、危害防止用連動中継器５に内蔵されている予備電源によって動作する。すなわち、火災発生時に防火シャッター装置１０に対する商用電源の供給がなくとも、自動閉鎖装置３は、防災盤１５から入力される防災信号ＢＳに基づきブレーキ２を解放し、巻取り状態にある防火構造のシャッターカーテン４を自重で下降させ自動的に開口部を閉鎖することができるように構成されている。
【０００６】
自動閉鎖装置３には、自動閉鎖装置３からブレーキ２に機械的に動力を伝達し、その動力でブレーキを解除したり復帰したりするように構成されたものやブレーキ２へ電気的にブレーキ解除を指令する指令信号を出力し、ブレーキ２はその入力した指令信号に応じて電動でブレーキを解除したり復帰したりするように構成されたものもある。
【０００７】
自動閉鎖装置３は、非常時には、電気式手動閉鎖装置７の非常用シャッター閉鎖ボタンの操作に応じて、シャッターカーテン４を自重で降下させる。自動閉鎖装置３は、危害防止用連動中継器５から電力供給（直流２４Ｖ信号）がある間、ブレーキ２を解放するが、有線式障害物感知装置から後述する障害物感知用の座板スイッチ９の障害物感知信号がある場合には、その間ブレーキ２を復帰するようになっている。なお、危害防止用連動中継器５から電力供給（直流２４Ｖ信号）がなくなった場合にブレーキを復帰するものもある。
【０００８】
電気式手動閉鎖装置７は、非常用シャッター閉鎖ボタンの操作に応じて危害防止用連動中継器５から出力される直流２４Ｖ信号を制御するものである。電気式手動閉鎖装置７は、これ以外にも開閉機１の開閉停に対応した入力スイッチ（開ボタン、閉ボタン、停止ボタンを含む押しボタンスイッチ）、作動ボタン及び復旧ボタンを備えている。なお、図１ではこれらのボタンについては図示を省略してある。
【０００９】
図２は、図１の危害防止用連動中継器５の概略構成を示す図である。図２に示すように、危害防止用連動中継器５は、電源回路５１、充電装置５２、予備電源（蓄電池）５３、電源切り替え装置５４及び制御回路５５から構成される。電源回路５１は、商用電源２６を直流２４Ｖ信号に変換し、電源切り替え装置５４を介して制御回路５５に直流電圧を供給すると共に充電装置５２に電力を供給する。充電装置５２は、電源回路５１からの電力を用いて予備電源（蓄電池）５３を充電する。予備電源（蓄電池）５３は、ニッケル・カドミウム充電池やその他のバッテリーなどから構成され、電源切り替え装置５４を介して直流電圧を制御回路５５に供給する。
【００１０】
電源切り替え装置５４は、電源回路５１又は予備電源５３のいずれか一方の電源を選択的に切り替えて制御回路５５に接続するものである。通常は商用電源２６からの電力が供給されているので、電源回路５１からの直流電圧を制御回路５５に供給しているが、火災発生時などの非常時に商用電源２６からの電力供給が停止した場合などには、予備電源５３からの直流電圧を制御回路５５に供給するように動作する。復帰スイッチ５６は、制御回路５５の動作をリセットするためのスイッチである。
【００１１】
このように、危害防止用連動中継器５に内蔵される予備電源５３によって、火災発生時に防火シャッター装置１０に対する商用電源の供給がなくとも、煙感知器１６及び熱感知器１７の接続された防災盤１５から制御回路５５に入力される防災信号ＢＳに基づき、危害防止用連動中継器５から自動閉鎖装置３へ作動信号（直流２４Ｖ信号）が出力され、自動閉鎖装置３がブレーキ２を解放することによって、天井など開口部上方に巻取り収納状態にある防火構造のシャッターカーテン４を自重で繰り出し下降させ自動的に開口部を閉鎖することができるようになっている。また、非常時には、電気式手動閉鎖装置７の非常用シャッター閉鎖ボタン（図示せず）を操作することによって、同じく制御回路５５から作動信号（直流２４Ｖ信号）が出力され、シャッターカーテン４を自重で降下させることができる。
【００１２】
この防火シャッター装置１０には、開閉中に障害物への接触を検出する障害物感知装置が設けられている。障害物感知装置は、図示のようにシャッターカーテン４の下端の座板上に設けられた接触センサとして機能する座板スイッチ９と、シャッターカーテン４の収納ボックス内に設けられた有線式障害物感知装置１９と、これらの間を電気的に接続する信号コード１１とによって構成される。
【００１３】
座板スイッチ９は、シャッターカーテン４の座板に取り付けてあり、この座板が人や物などの障害物に接触することによって接点の閉じるマイクロスイッチを内蔵しており、この接点が閉じた場合にそれを感知信号として有線式障害物感知装置１９に信号コード１１を介して有線方式で送信する。信号コード１１は、座板スイッチ９の感知信号を有線式障害物感知装置１９に伝送するケーブルである。このケーブルは、コードリールや移動式プーリー等により収納したりガイドしたりすることによって、シャッターカーテン４の開閉を阻害する撓みを生じないようにしている。
【００１４】
有線式障害物感知装置１９は、座板スイッチ９からの感知信号の入力に応じて開閉機１の動作を制御するものである。自動閉鎖装置３は、この有線式障害物感知装置１９を介した座板スイッチ９からの感知信号の入力に応じて作動信号の電力を用いてブレーキ２を復帰させ、シャッターカーテン４の閉動作を停止制御するようになっている。また、シャッターカーテンの全閉状態を感知して全閉信号が自動閉鎖装置に入力されるように構成されている場合には、同様に感知信号の入力に応じてブレーキ２を復帰させ、シャッターカーテンの閉動作を停止制御するようになっている。従って、火災発生時にシャッターカーテン４が自重下降している際に座板などが障害物に接触し、座板スイッチ９から感知信号が検出された場合に、シャッターカーテン４の自重下降を停止するようになっている。リミットスイッチ１２は、シャッターカーテン４を上限・下限で停止させるためのスイッチである。このような防火シャッター装置に関するものとしては、例えば、特許文献１に記載されたものがある。
【先行技術文献】
【特許文献】
【００１５】
【特許文献１】特開２００２−８１２８１号公報
【発明の概要】
【発明が解決しようとする課題】
【００１６】
防火シャッター装置の中には、煙感知器の信号で閉鎖後、予め設定した高さで停止し、その後、熱感知器の信号で再降下して全閉する二段降下式防火シャッター装置がある。この二段降下式防火シャッター装置は、煙感知器の信号と熱感知器の信号とに応じてそれぞれ異なる動作を行う必要がある。しかしながら、図１のような従来の防災盤１５は、煙感知器１６及び熱感知器１７からの感知信号を区別することなく、感知信号に入力に応じて防災信号ＢＳを危害防止用連動中継器５に出力していた。従って、感知信号の種類に応じて、途中停止動作又は全閉動作のいずれの動作を選択して動作させる必要がある。
【００１７】
図３は、二段降下式防火シャッター装置に対応した防災盤と、図１の危害防止用連動中継器の制御回路とを接続する二段降下制御盤の概略を示す図である。防災盤１５ａと危害防止用連動中継器５との間に二段降下制御盤１８を設けることによって、防火シャッター装置は二段降下制御される。図３において、煙感知器１６は、火災による煙を感知すると、煙感知信号ＳＨを防災盤１５ａに出力する。熱感知器１７は、火災による熱を感知すると、熱感知信号ＳＦを防災盤１５ａに出力する。防災盤１５ａは、煙感知信号ＳＨ及び熱感知信号ＳＦにそれぞれ対応した防災信号ＢＳＨ及びＢＳＦを別々に二段降下制御盤１８に出力する。
【００１８】
二段降下制御盤１８に入力した防災信号（煙感知信号）ＢＳＨは、半閉駆動用リレー１８１（Ｒｙ１）を駆動する。半閉駆動用リレー１８１（Ｒｙ１）が駆動すると、半閉用リレー接点１８２（Ｒｙ１）がスイッチオンし、危害防止用連動中継器５の起動スイッチ用端子ＳＴに起動信号が送信される。このとき、半閉駆動用リレー１８１（Ｒｙ１）の駆動に応じて、煙感知信号ＳＨによる途中停止動作であることを示す途中停止信号ＬＨが危害防止用連動中継器５に送信される。従って、危害防止用連動中継器５は、起動スイッチ用端子ＳＴへの信号入力と途中停止信号ＬＨとの入力に応じて、途中停止動作を実行する。
【００１９】
一方、二段降下制御盤１８に入力した防災信号（熱感知信号）ＢＳＦは、全閉駆動用リレー１８３（Ｒｙ２）を駆動する。全閉駆動用リレー１８３（Ｒｙ２）が駆動すると、全閉用リレー接点１８４（Ｒ１）がスイッチオンし、危害防止用連動中継器５の起動スイッチ用端子ＳＴに起動信号が送信される。このとき、全閉駆動用リレー１８３（Ｒｙ２）の駆動に応じて、熱感知信号ＳＦによる全閉動作であることを示す全閉信号ＬＦが危害防止用連動中継器５に送信される。従って、危害防止用連動中継器５は、起動スイッチ用端子ＳＴへの信号入力と途中停止信号ＬＦとの入力に応じて、全閉動作を実行する。
【００２０】
図３の二段降下式防火シャッター装置の場合、煙感知信号ＳＨ及び熱感知信号ＳＦの防災信号は、図３の二段降下制御盤１８を経由して危害防止用連動中継器５へ入力されるため、二段降下制御盤１８が通電していない状態にあると、防災信号が危害防止用連動中継器５へ送信されなくなる可能性があり、防火シャッター装置１０の二段降下動作が実行されない可能性がある。
【００２１】
この発明は、上述の点に鑑みなされたものであり、二段降下式防火シャッター装置の防災盤と危害防止用連動中継器との間に設けられた二段降下制御盤が通電していない場合でも確実に防災信号を危害防止用連動中継器へ送信することのできる開閉体装置及び開閉制御方法を提供することを目的とする。
【課題を解決するための手段】
【００２２】
本発明に係る開閉体装置の第１の特徴は、開口部の周縁部に設けられた開閉体手段と、人為的操作に応じて閉鎖信号を出力する閉鎖指示手段と、煙感知手段及び熱感知手段から出力される感知信号に対応した煙感知防災信号及び熱感知防災信号を出力する防災盤手段と、前記閉鎖信号、前記煙感知防災信号又は前記熱感知防災信号の入力に応じて前記開閉体手段を自重で降下させて前記開口部を閉鎖する自動閉鎖手段と、前記煙感知防災信号を入力した場合は前記開閉体手段を半閉位置まで降下させるように前記自動閉鎖手段を制御し、前記熱感知防災信号又は前記閉鎖信号を入力した場合は前記開閉体手段を全閉位置まで降下させるように前記自動閉鎖手段を制御する二段降下制御手段とを備えた開閉体装置であって、前記二段降下制御手段は、通電状態にないときに前記防災盤手段から前記煙感知防災信号又は熱感知防災信号を入力した場合、前記煙感知防災信号又は熱感知防災信号を前記自動閉鎖手段側に直接出力して前記開閉体手段を自重で全閉位置まで降下させるように制御することにある。
【００２３】
開閉体手段は、ビル、住宅、工場、倉庫等の建物などの構造物における、出入口や窓部、あるいは内部の通路や空間などの開口部などを開閉移動するものや閉移動だけするシャッターカーテンなどの開閉部材や閉部材で構成され、災害発生時や閉店時などに防火・防煙・防水・防風・防犯などのために開口部を仕切るために収納部から繰り出される。開閉体手段が、例えば防火区画形成用の防火・防煙シャッターカーテンの場合には、建物などの開口部の周縁部の一つである上部に収納され、まぐさなどを通過して防火シャッターカーテンが下降し、開口部を閉鎖する。煙感知防災信号及び熱感知防災信号は、火災時などに発生されるものであり、人為的操作によって発生する非常閉鎖信号は、例えば非常用シャッター閉鎖ボタンなどのような操作ボタンが人為的に操作されることによって発生するものである。自動閉鎖手段は、これらの信号を入力することによって、防火シャッターカーテンを自重降下させ、開口部を閉鎖する。自動閉鎖装置は、この防災信号又は非常閉鎖信号を入力し、一旦通電動作中になると、防災信号又は非常閉鎖信号が無くなっても、ロック機構によって自重降下動作を保持ができるように構成されている。一方、二段降下制御手段は、煙感知防災信号を入力した場合は防火シャッターカーテンを半閉位置まで降下させ、熱感知防災信号又は非常閉鎖信号を入力した場合は防火シャッターカーテンを全閉位置まで降下させるように自動閉鎖手段を制御している。この発明では、二段降下制御手段が通電状態にないときに防災盤手段から煙感知防災信号又は熱感知防災信号が入力した場合、煙感知防災信号又は熱感知防災信号を自動閉鎖手段側に直接出力して防火シャッターカーテンを自重で全閉位置まで降下させるようにした。これによって、二段降下制御手段が通電状態にないときでも、防災信号の入力に応じて防火シャッターカーテンを全閉位置まで降下させることができるようになり、火災の延焼を未然に防ぐことが可能となる。
【００２４】
本発明に係る開閉体装置の第２の特徴は、前記第１の特徴に記載の開閉体装置において、前記開閉体手段の動作経路上で障害物を感知した場合に障害物感知信号を出力する障害物感知手段と、前記障害物感知信号の入力に応じて閉動作中の前記開閉体手段に回避動作を行わせる障害物制御手段を備えたことにある。
開閉体手段である防火シャッターカーテンには、一例として開閉中に障害物などへの接触を検出する障害物感知手段がその閉鎖側先端部の座板上に設けられており、障害物の感知状態に応じて障害物制御手段が防火シャッターカーテンにその回避動作を行わせるように構成されている。ここでの回避動作には、防火シャッターカーテンの移動を停止させたり、停止までには到らずに移動速度を抑制したり、感知した状態から防火シャッターカーテンを逆に移動させたりする場合を含む。また、障害物感知手段には、閉鎖側先端部の座板などに設けられる接触式のものやエリアセンサなどのように非接触式にて感知するものを含む。従って、自動閉鎖時に防火シャッターカーテンが移動している際に座板が障害物に接触した場合等に、防火シャッターカーテンは回避動作を行う。
【００２５】
本発明に係る開閉制御方法の第１の特徴は、火災発生時に防災盤手段から出力される煙感知防災信号を入力した場合は前記開閉体手段が半閉位置まで降下するように自動閉鎖手段を制御し、前記熱感知防災信号を入力した場合は前記開閉体手段が全閉位置まで降下するように前記自動閉鎖手段を制御する二段降下制御手段を備えた開閉制御方法であって、前記二段降下制御手段が通電状態にないときに、前記防災盤手段から前記煙感知防災信号又は熱感知防災信号を入力した場合、前記煙感知防災信号又は熱感知防災信号を前記自動閉鎖手段側に直接出力して前記開閉体手段を自重で全閉位置まで降下させるように制御することにある。
これは、前記開閉体装置の第１の特徴に対応した開閉制御方法の発明である。
【００２６】
本発明に係る開閉制御方法の第２の特徴は、前記第１の特徴に記載の開閉制御方法において、前記開閉体手段の動作経路上で障害物を感知した場合に障害物感知手段から出力された障害物感知信号の入力に応じて閉動作中の前記開閉体手段に回避動作を行わせることにある。
これは、前記開閉体装置の第２の特徴に対応した開閉制御方法の発明である。
【発明の効果】
【００２７】
本発明によれば、二段降下式防火シャッター装置の防災盤と危害防止用連動中継器との間に設けられた二段降下制御盤が通電していない場合でも確実に防災信号を危害防止用連動中継器へ送信することができるという効果がある。
【図面の簡単な説明】
【００２８】
【図１】このような防火区画を形成する従来の防火シャッター装置の概略構成を示す図である。
【図２】図１の危害防止用連動中継器の概略構成を示す図である。
【図３】二段降下式防火シャッター装置に対応した防災盤と、図１の危害防止用連動中継器の制御回路とを接続する二段降下制御盤の概略を示す図である。
【図４】本発明に係る開閉体装置の防災盤と危害防止用連動中継器との間に設けられる二段降下制御盤の概略構成を示す図である。
【図５】この実施の形態に係る二段降下式防火シャッター装置の動作の一例を示すフローチャート図である。
【発明を実施するための形態】
【００２９】
以下、添付図面に従って本発明に係る開閉体装置の一例として防火シャッター装置について説明する。防火シャッター装置は、短冊板状のスラットを多数連結してなるシャッターカーテンを、建物開口部の上方に巻回状態で収納し、巻き戻されながら繰り出されることで建物開口部を閉鎖する。本発明に係る防火シャッター装置１０の構成は、図１及び図２と同じなので、その説明は省略する。
【００３０】
図４は、本発明に係る開閉体装置の防災盤と危害防止用連動中継器との間に設けられる二段降下制御盤の概略構成を示す図である。煙感知器１６は、火災時に発生する煙を感知した場合、その煙感知信号ＳＨを防災盤１５ａに出力する。熱感知器１７は、火災時に発生する熱を感知した場合、その熱感知信号ＳＦを防災盤１５ａに出力する。防災盤１５ａは、煙感知信号ＳＨ又は熱感知信号ＳＦの入力に応じて、例えば直流２４Ｖの防災信号ＢＳＨ又はＢＳＦを二段降下制御盤１８ａにそれぞれ出力する。
【００３１】
二段降下制御盤１８ａにおいて、防災盤１５ａから出力された防災信号ＢＳＨは、半閉駆動用リレー１８１（Ｒｙ１）に入力すると共に並列にＢ接点からなる第１起動用リレー接点１８６（Ｒｙ３）の第１端子に入力する。同様に、防災盤１５ａから出力された防災信号ＢＳＦは、全閉駆動用リレー１８３（Ｒｙ２）に入力すると共に並列にＢ接点からなる第２起動用リレー接点１８７（Ｒｙ３）の第１端子に入力する。第１起動用リレー接点１８６（Ｒｙ３）及び第２起動用リレー接点１８７（Ｒｙ３）の第２端子は、危害防止用連動中継器５の電圧供給端子Ｄ＋，Ｄ−にそれぞれ接続されている。
【００３２】
一方、危害防止用連動中継器５からは、直流２４［Ｖ］の動作電圧ＤＣ２４が通電用リレー１８８（Ｒｙ３）に供給されている。すなわち二段降下制御盤１８ａが通電状態にある場合は、動作電圧ＤＣ２４が通電用リレー１８８（Ｒｙ３）に供給されるので、第１起動用リレー接点１８６（Ｒｙ３）及び第２起動用リレー接点１８７（Ｒｙ３）は、スイッチオフ状態となる。この場合は、防災盤１５ａから出力された防災信号ＢＳＨ及びＢＳＦは、危害防止用連動中継器５に直接送信されることはない。逆に、通電用リレー１８８（Ｒｙ３）に危害防止用連動中継器５からの動作電圧ＤＣ２４が供給されていない場合、すなわち二段降下制御盤１８ａが不通状態にある場合は、第１起動用リレー接点１８６（Ｒｙ３）及び第２起動用リレー接点１８７（Ｒｙ３）がスイッチオン状態となる。この場合は、防災盤１５ａから出力された防災信号ＢＳＨ及びＢＳＦは、危害防止用連動中継器５に直接出力されるようになる。
【００３３】
二段降下制御盤１８ａに入力した防災信号（煙感知信号）ＢＳＨは、半閉駆動用リレー１８１（Ｒｙ１）を駆動する。半閉駆動用リレー１８１（Ｒｙ１）が駆動すると、半閉用リレー接点１８２（Ｒｙ１）がスイッチオンし、危害防止用連動中継器５の起動スイッチ用端子ＳＴに起動信号が送信される。このとき、半閉駆動用リレー１８１（Ｒｙ１）の駆動に応じて、煙感知信号ＳＨによる途中停止動作であることを示す途中停止信号ＬＨが危害防止用連動中継器５に送信される。従って、危害防止用連動中継器５は、起動スイッチ用端子ＳＴへの信号入力と途中停止信号ＬＨとの入力に応じて、途中停止動作を実行する。
【００３４】
一方、二段降下制御盤１８ａに入力した防災信号（熱感知信号）ＢＳＦは、全閉駆動用リレー１８３（Ｒｙ２）を駆動する。全閉駆動用リレー１８３（Ｒｙ２）が駆動すると、全閉用リレー接点１８４（Ｒ１）がスイッチオンし、危害防止用連動中継器５の起動スイッチ用端子ＳＴに起動信号が送信される。このとき、全閉駆動用リレー１８３（Ｒｙ２）の駆動に応じて、熱感知信号ＳＦによる全閉動作であることを示す全閉信号ＬＦが危害防止用連動中継器５に送信される。従って、危害防止用連動中継器５は、起動スイッチ用端子ＳＴへの信号入力と途中停止信号ＬＦとの入力に応じて、全閉動作を実行する。なお、全閉用リレー接点１８４（Ｒ１）は、電気式手動閉鎖装置７の非常用シャッター閉鎖ボタン（起動スイッチ）が押圧操作された場合にも同様にスイッチオンし、危害防止用連動中継器５の起動スイッチ用端子ＳＴに起動信号が送信される。全閉動作の場合には、全閉信号ＬＦを送信しなくても、途中停止信号ＬＨの有無に応じて全閉動作又は途中停止動作を実行してもよい。
【００３５】
図５は、この実施の形態に係る二段降下式防火シャッター装置の動作の一例を示すフローチャート図である。上述の実施の形態では、ハード的に二段降下制御盤１８ａの接続関係を構成して、二段降下制御盤１８ａが不通状態にある場合は、防災盤１５ａから出力された防災信号ＢＳＨ及びＢＳＦを危害防止用連動中継器５に直接送信する場合について説明した。図５はこの機能をソフト的に実現するものである。まず、このフローは、防災信号ＢＳＨ又はＢＳＦの入力があった場合に実行されるものである。
【００３６】
ステップＳ５１では、防災信号ＢＳＨ又はＢＳＦの入力時に、危害防止用連動中継器５から直流２４［Ｖ］の動作電圧ＤＣ２４が供給されているか否かを判定し、供給されている（ｙｅｓ）場合は次のステップＳ５２に進み、供給されていない（ｎｏ）場合はステップＳ５６へ進む。
ステップＳ５２では、防災盤１５ａから入力した防災信号が煙感知信号ＳＨに基づく防災信号ＢＳＨなのか否かを判定し、煙感知信号ＳＨに基づく防災信号ＢＳＨ（ｙｅｓ）の場合は、ステップＳ５３に進み、熱感知信号ＳＦに基づく防災信号ＢＳＦ（ｎｏ）の場合は、ステップＳ５５に進む。
【００３７】
ステップＳ５３では、防災信号が煙感知信号ＳＨに基づく防災信号ＢＳＨなので、途中停止動作（半閉動作）の指示を危害防止用連動中継器５に出力する。
ステップＳ５４では、半開停止後、所定時間（例えば１０秒〜１０分の間で設定可能）経過したか否かの判定し、所定時間が経過した（ｙｅｓ）場合はステップＳ５５に進み、経過していない（ｎｏ）場合はリターンする。
【００３８】
ステップＳ５５では、防災信号が熱感知信号ＳＦに基づく防災信号ＢＳＦなので、全閉動作の指示を危害防止用連動中継器５に出力する。また、ステップＳ５４で半開停止後に所定時間が経過したので、全閉動作の指示を危害防止用連動中継器５に出力する。
ステップＳ５６では、危害防止用連動中継器５から直流２４［Ｖ］の動作電圧ＤＣ２４が供給されていないので、防災盤１５ａから入力した防災信号ＢＳＨ又はＢＳＦを危害防止用連動中継器５へ直接出力する。
【００３９】
以上の処理によって、防災盤１５ａから煙感知信号ＳＨに基づく防災信号ＢＳＨを入力した場合、防火シャッター装置１０は半閉位置まで降下し自動停止する。そして、半閉停止後に、熱感知信号ＳＦに基づく防災信号ＢＳＦを入力した場合、防火シャッター装置１０は自動降下を開始し、全閉する。また、半閉停止後、所定時間が経過した場合、防火シャッター装置１０は自動降下を開始し、全閉する。一方、電気式手動閉鎖装置７の非常用シャッター閉鎖ボタンが操作されると、防火シャッター装置１０は半閉停止することなく、全閉停止する。また、煙感知信号ＳＨに基づく防災信号ＢＳＨが入力する前に、熱感知信号ＳＦに基づく防災信号ＢＳＦが入力した場合、防火シャッター装置１０は半閉停止することなく、全閉停止する。これらの半開停止動作中及び全閉動作中に、座板スイッチ９から感知信号が検出された場合、防火シャッター装置１０はその場で停止する。その後、障害物が無くなり、例えば約１０秒が経過すると、防火シャッター装置１０は再降下し全閉停止する。
【００４０】
上述の実施の形態では、開閉体としてスラットにて構成されるシャッターカーテンを例に説明したが、開閉体は、グリルカーテンやシートカーテン、パネルカーテン、あるいはスラットとシート等とを複合したカーテン等であってもよい。
また、巻取られて収納されるものの他に、巻き取られないで収納されるものであってもよい。開閉装置として、シャッター装置を例として説明したが、本発明に係る制動装置は、スクリーン装置や防煙垂れ幕装置等の他の構造の開閉装置に対しても適用が可能であり、さらには、この開閉装置が配置される対象として建物以外に、地下街、トンネル、車両、船舶、航空機などの構造物の出入口部分や窓開口部分、防災区画を形成するための開口空間等の開口部分としてもよい。
【符号の説明】
【００４１】
１…開閉機
１０…防火シャッター装置
１１…信号コード
１２…リミットスイッチ
１５，１５ａ…防災盤
１６…煙感知器
２６…商用電源
１７…熱感知器
１８，１８ａ…二段降下制御盤
１９…有線式障害物感知装置
１８１…半閉駆動用リレー
１８２…半閉用リレー接点
１８３…全閉駆動用リレー
１８４…全閉用リレー接点
１８６，１８７…起動用リレー接点
１８８…通電用リレー
２…ブレーキ
３…自動閉鎖装置
４…防火シャッターカーテン
５…危害防止用連動中継器
５１…電源回路
５２…充電装置
５３…予備電源
５４…電源切り替え装置
５５…制御回路
５６…復帰スイッチ
７…電気式手動閉鎖装置
９…座板スイッチ
【図１】
2018044359.tif 000003
【図２】
2018044359.tif 000004
【図３】
2018044359.tif 000005
【図４】
2018044359.tif 000006
【図５】
2018044359.tif 000007